(57)【要約】【課題】従来のマスクは、通気路の長さがマスクの上下方向の距離に限定される。このため、通気路における音声の減衰がマスクの大きさに制約され、減衰効果が十分でない場合がある。【解決手段】マスクは、人の口を覆うカバーと、カバーの内部と外部とを通気する管状の通気路とを備え、通気路は、カバーの縦方向および横方向の少なくとも１方向において折り返している。【選択図】図１
2017003968.tif 000002
【特許請求の範囲】
【請求項１】
人の口を覆うカバーと、前記カバーの内部と外部とを通気する管状の通気路とを備え、前記通気路は、前記カバーの縦方向および横方向の少なくとも１方向において折り返しているマスク。
【請求項２】
前記通気路は、前記カバーの内部において前記カバーの縦方向および横方向の少なくとも１方向において折り返している、請求項１記載のマスク。
【請求項３】
前記通気路は、前記カバーの外部において前記カバーの縦方向および横方向の少なくとも１方向において折り返している、請求項１記載のマスク。
【請求項４】
前記通気路は、円周方向に巻かれている、請求項１−３のいずれか１項に記載のマスク。
【請求項５】
前記通気路は、サーペンタイン形状である、請求項１−３のいずれか１項に記載のマスク。
【請求項６】
前記カバーはカップ形状であり、前記通気路は、前記カップの底の内表面上および外表面上の少なくとも一方に設けられている、請求項１−５のいずれか１項に記載のマスク。
【請求項７】
前記カバーは円錐形状であり、前記通気路は、前記円錐形の内表面上および外表面上の少なくとも一方に設けられている、請求項６に記載のマスク。
【請求項８】
前記通気路は、可とう性のチューブである、請求項１−７のいずれか１項に記載のマスク。
【請求項９】
前記カバーが樹脂成形体を備え、前記通気路は、前記樹脂成形体内に設けられ、前記通気路の通気口が前記樹脂成形体の内表面と外表面に設けられている、請求項１−７のいずれか１項に記載のマスク。
【請求項１０】
前記通気路は、互いに分岐して合流する第１分岐路および第２分岐路を備え、前記第１分岐路と前記第２分岐路との長さが異なる、請求項１−９のいずれか１項に記載のマスク。
【請求項１１】
前記カバー内にマイクロフォンを備える、請求項１−１０のいずれかに１項に記載のマスク。
【請求項１２】
前記カバーの外部にある通気口から出る音を受けるマイクロフォンを備える、請求項１−１０のいずれか１項に記載のマスク。
【請求項１３】
前記通気路内にマイクロフォンを備える、請求項１−１０のいずれか１項に記載のマスク。
【請求項１４】
前記通気路は、長さの異なる複数の通気路を備え、前記複数の通気路の通気口のうち前記カバー内部に設けられた通気口を遮断する遮断器と、前記遮断器により遮断される通気口を切替える切替器とを備える、請求項１−１３のいずれか１項に記載のマスク。
【請求項１５】
前記通気路は、前記カバーに設けられた開口部に接続され、前記開口部は、前記カバーの側面に設けられている、請求項１−１４のいずれか１項に記載のマスク。
【請求項１６】
前記開口部は、人が前記マスクを装着した際に下側になる側面の位置に設けられている、請求項１５に記載のマスク。
【請求項１７】
前記通気路は、前記カバーの底部に設けられ、前記通気路は前記カバーの底部とともに前記カバーの底部の周方向に回転可能に構成されている、請求項１５に記載のマスク。
【請求項１８】
前記カバーは、人の口、および、人の鼻を同時に覆うカバーである、請求項１−１７のいずれか１項に記載のマスク。
【請求項１９】
前記カバーは、前記通気路が接続もしくは通過する第１開口部と、前記第１開口部と異なる第２開口部とを備え、前記第２開口部は、マスクを装着した人が息を吸うときに開き、息を吐くときに閉じる弁を備える、請求項１−１８のいずれか１項に記載のマスク。
【発明の詳細な説明】
【技術分野】
【０００１】
本開示はマスクに関する。
【背景技術】
【０００２】
スマートフォン等の情報携帯端末を用いて室内等で通話を行う場合、通話者の音声が周囲の人に聞かれることにより、周囲の人に通話の内容が知られる可能性、周囲の人へ不快感を与える可能性がある。
【０００３】
そこで、このような可能性を低減すべく、情報携帯端末用の補助具として、様々なマスクが提案されている（例えば、特許文献１参照）。
【０００４】
特許文献１では、マスクを２重構造にすることで、マスク内の音声を内側と外側の間の通気路で減衰させ、外部に漏れににくくしている。具体的には、図１４に示すように、外郭通気口９を下方に、内郭通気口８を上方に設けることにより、通気路１１を長くすることで、内郭通気口８から外郭通気口９に抜ける音声、特に、低周波〜中域周波数の音声の減衰（減音）を行いやすい構成になっている。
【先行技術文献】
【特許文献】
【０００５】
【特許文献１】特開２００６−２２２８７７号公報
【発明の概要】
【発明が解決しようとする課題】
【０００６】
しかし、従来例は、通話者の口を覆うことで通話者の音声を外部に漏れにくくするマスクにおいて、通気路における音声の減衰効果については十分に検討されていない。
【０００７】
本開示の一態様(aspect)は、このような事情に鑑みてなされたものであり、通話者の口を覆うことで通話者の音声を外部に漏れにくくするマスクにおいて、通気路における音声の減衰効果を従来よりも向上し得るマスクを提供する。
【課題を解決するための手段】
【０００８】
本開示の一態様のマスクは、人の口を覆うカバーと、前記カバーの内部と外部とを通気する管状の通気路とを備え、前記通気路は、前記カバーの縦方向および横方向の少なくとも１方向において折り返している。
【発明の効果】
【０００９】
本開示の一態様によれば、通話者の口を覆うことで通話者の音声を外部に漏れにくくするマスクにおいて、通気路における音声の減衰効果を従来よりも向上し得るという効果を奏する。
【図面の簡単な説明】
【００１０】
【図１】図１は、実施形態のマスクの一例を示す図である。
【図２】図２は、実施形態の第１実施例のマスクの一例を示す図である。
【図３】図３は、実施形態の第２実施例のマスクの一例を示す図である。
【図４】図４は、実施形態の第３実施例のマスクの一例を示す図である。
【図５】図５は、実施形態の第４実施例のマスクの一例を示す図である。
【図６】図６は、実施形態の第８実施例のマスクの一例を示す図である。
【図７】図７は、実施形態の第９実施例のマスクの一例を示す図である。
【図８】図８は、実施形態の第１０実施例のマスクの一例を示す図である。
【図９】図９は、実施形態の第１３実施例のマスクの一例を示す図である。
【図１０】図１０は、実施形態の第１４実施例のマスクの一例を示す図である。
【図１１】図１１は、実施形態の第１５実施例のマスクの一例を示す図である。
【図１２】図１２は、実施形態の第１６実施例のマスクの一例を示す図である。
【図１３】図１３は、実施形態の第１８実施例のマスクの一例を示す図である。
【図１４】図１４は、従来のマスクの一例を示す図である。
【発明を実施するための形態】
【００１１】
（実施形態）
発明者らは、通話者の口を覆うことで通話者の音声を外部に漏れにくくするマスクにおいて、通気路における音声の減衰効果について鋭意検討し、以下の知見を得た。
【００１２】
特許文献１のマスクは、通気路１１の長さがマスクの上下方向の距離に限定される。このため、通気路１１における音声の減衰がマスクの大きさに制約され、本減衰効果が十分でない場合がある。
【００１３】
そこで、本実施形態のマスクは、人の口を覆うカバーと、カバーの内部と外部とを通気する管状の通気路とを備え、通気路は、カバーの縦方向および横方向の少なくとも１方向において折り返している。
【００１４】
かかる構成によると、通話者の口を覆うことで通話者の音声を外部に漏れにくくするマスクにおいて、通気路における音声の減衰効果を従来よりも向上し得る。具体的には、カバーの装着面は、通話者の音声が外部に漏れにくくなるように通話者の口元にフィットする形状であるので、カバーの内部と外部との間の空気は通気路を流通する。そして、通気路がカバーの縦方向および横方向の少なくとも１方向において折り返すことで、通気路を長くできる。よって、通気路における音声の減衰効果を従来よりも向上し得る。
【００１５】
以下、添付図面を参照しつつ、実施形態および実施例について詳しく説明する。
【００１６】
以下で説明する具体例は、いずれも本開示の一例を示すものである。例えば、以下の具体例で示される形状、構成要素、構成要素の配置位置および接続形態等は、あくまで一例であり、本開示を限定するものではない。また、以下の具体例における構成要素のうち、本開示の最上位概念を示す独立請求項に記載されていない構成要素については、任意の構成要素として説明される。また、図面において、同じ符号が付いたものは、説明を省略する場合がある。また、図面は理解しやすくするために、それぞれの構成要素を模式的に示したもので、形状および寸法比等については正確な表示ではない場合がある。
【００１７】
［装置構成］
図１は、実施形態のマスクの一例を示す図である。なお、図１は、カバー１０の底面側からマスク１００を斜視した図である。
【００１８】
図１に示す例では、マスク１００は、カバー１０と、通気路１１とを備える。
【００１９】
カバー１０は、人の口を覆う。カバー１０は、人の口を覆うものであれば、どのような構成であっても構わない。例えば、カバー１０を通話者の口に装着する場合、カバー１０の装着面は、通話者の音声が外部に漏れにくくなるように通話者の口元にフィットする形状および素材で構成されている。
【００２０】
通気路１１は、カバー１０の内部と外部とを通気する管状の経路である。通気路１１は、カバー１０の内部と外部とを通気する管状の経路であれば、どのような構成であっても構わない。
【００２１】
例えば、図１に示す例では、通気路１１は、カバー１０の内部に設けられた通気口１２Ａからカバー１０の内部を延伸し、カバー１０の開口部１４を通過し、カバー１０の外部に設けられた通気口１２Ｂに至る経路であるが、これに限らない。通気路１１の他の具体例は、以下の実施例で説明する。なお、通気路１１は、可とう性のチューブでも構わない。
【００２２】
開口部１４は、カバー１０に設けられた貫通孔である。開口部１４は、カバー１０のいずれの箇所に設けてもいい。開口部１４は、丸孔でも角孔でもいい。なお、本実施形態では、開口部１４は、カバー１０の底面に設けられた丸孔である。
【００２３】
ここで、通気路１１は、カバー１０の縦方向および横方向の少なくとも１方向において折り返している。カバー１０の縦方向および横方向は、カバー１０において互いに直交する任意の方向に取って構わない。例えば、カバー１０を通話者の口元に装着した場合、口元からカバー１０の底面に向かう方向を縦方向に取り、これに直交するカバー１０の一方の側面から他の側面に向かう方向を横方向に取ることができる。詳細は、実施例で説明する。
【００２４】
以上により、通話者の口を覆うことで通話者の音声を外部に漏れにくくするマスク１００において、通気路１１における音声の減衰効果が従来よりも向上し得る。具体的には、カバー１０の装着面は、通話者の音声が外部に漏れにくくなるように通話者の口元にフィットする形状であるので、カバー１０の内部と外部との間の空気は通気路１１を流通する。そして、通気路１１がカバー１０の縦方向および横方向の少なくとも１方向において折り返すことで、通気路１１を長くできる。よって、通気路１１における音声の減衰効果が従来よりも向上し得る。
【００２５】
（第１実施例）
第１実施例のマスクは、実施形態のマスクにおいて、通気路は、カバーの内部においてカバーの縦方向および横方向の少なくとも１方向において折り返している。
【００２６】
かかる構成によると、通気路がカバーの内部でカバーの縦方向および横方向の少なくとも１方向において折り返すことで、通気路を長くできる。よって、通気路における音声の減衰効果を従来よりも向上し得る。また、通気路をカバーの内部のみに設けることで、マスクの外観が見栄え良くすっきりする。
【００２７】
本実施例のマスクは、上記特徴以外は、実施形態のマスクと同様に構成してもよい。
【００２８】
［装置構成］
図２は、実施形態の第１実施例のマスクの一例を示す図である。なお、図２は、カバー１０の底面側からマスク１００を斜視した図である。また、カバー１０の縦方向（前後方向）および横方向（左右方向）について、図２に示すように取っているが、上記のとおり、縦方向および横方向は、互いに直交する任意の方向に取って構わない。
【００２９】
図２に示す例では、マスク１００は、カバー１０と、通気路１１Ａと、を備える。カバー１０については実施形態と同様であるので説明を省略する。
【００３０】
本実施例では、通気路１１Ａは、カバー１０の内部でカバー１０の横方向において折り返している。具体的には、通気路１１Ａは、カバー１０の内部に設けられた通気口１２Ａからカバー１０の底面の円形縁に沿うように時計回りに右側に延伸してから、左側へ折り返し、カバー１０の底面の左端近傍の開口部１４へと接続している。なお、図示を省略するが、通気路１１Ａは、カバー１０の内部でカバー１０の縦方向に折り返してもいいし、横方向および縦方向の両方に折り返してもいい。
【００３１】
以上により、通気路１１Ａがカバー１０の内部でカバー１０の横方向において折り返すことで、通気路１１Ａを長くできる。よって、通気路１１Ａにおける音声の減衰効果が従来よりも向上し得る。また、通気路１１Ａをカバー１０の内部のみに設けることで、マスク１００の外観が見栄え良くすっきりする。
【００３２】
（第２実施例）
第２実施例のマスクは、実施形態のマスクにおいて、通気路は、カバーの外部においてカバーの縦方向および横方向の少なくとも１方向において折り返している。
【００３３】
かかる構成によると、通気路がカバーの外部でカバーの縦方向および横方向の少なくとも１方向において折り返すことで、通気路を長くできる。よって、通気路における音声の減衰効果を従来よりも向上し得る。また、通気路をカバーの外部のみに設けることで、カバーのサイズを小さくできる。また、カバーの外部の通気口を所望の向きに向けることができる。この場合、周囲の特定の人にのみに通話者の音声を伝えることが可能となり、他の人には通話者の音声を聞かれにくくすることができる。更に、カバーの外部の通気口に酸素発生器又は空気清浄器に接続することで、用途に応じた所望の空気を吸うことができる。
【００３４】
本実施例のマスクは、上記特徴以外は、実施形態のマスクと同様に構成してもよい。
【００３５】
［装置構成］
図３は、実施形態の第２実施例のマスクの一例を示す図である。なお、図３は、カバー１０の底面側からマスク１００を斜視した図である。また、カバー１０の縦方向（前後方向）および横方向（左右方向）について、図３に示すように取っているが、上記のとおり、縦方向および横方向は、互いに直交する任意の方向に取って構わない。
【００３６】
図３に示す例では、マスク１００は、カバー１０と、通気路１１Ｂと、を備える。カバー１０については実施形態と同様であるので説明を省略する。
【００３７】
本実施例では、通気路１１Ｂは、カバー１０の外部でカバー１０の縦方向において折り返している。具体的には、通気路１１Ｂは、開口部１４からカバー１０の外部を前側に延伸してから、後側へ折り返し、カバー１０の外部に設けられた通気口１２Ｂへ至っている。なお、図示を省略するが、通気路１１Ｂは、カバー１０の外部でカバー１０の横方向に折り返してもいいし、横方向および縦方向の両方に折り返してもいい。
【００３８】
以上により、通気路１１Ｂがカバー１０の外部でカバー１０の縦方向において折り返すことで、通気路１１Ｂを長くできる。よって、通気路１１Ｂにおける音声の減衰効果を従来よりも向上し得る。また、通気路１１Ｂをカバー１０の外部のみに設けることで、カバー１０のサイズを小さくできる。また、カバー１０の外部の通気口１２Ｂを所望の向きに向けることができる。この場合、周囲の特定の人にのみに通話者の音声を伝えることが可能となり、他の人には通話者の音声を聞かれにくくすることができる。更に、カバー１０の外部の通気口１２Ｂに酸素発生器又は空気清浄器に接続することで、用途に応じた所望の空気を吸うことができる。
【００３９】
（第３実施例）
第３実施例のマスクは、実施形態および第１実施例−第２実施例のいずれかのマスクにおいて、通気路は、円周方向に巻かれている。
【００４０】
かかる構成によると、通気路を円周方向に巻くことで通気路を長くできる。よって、通気路における音声の減衰効果を従来よりも向上し得る。
【００４１】
本実施例のマスクは、上記特徴以外は、実施形態および第１実施例−第２実施例のいずれかのマスクと同様に構成してもよい。
【００４２】
［装置構成］
図４は、実施形態の第３実施例のマスクの一例を示す図である。なお、図４は、カバー１０の底面とは反対側からマスク１００を斜視した図である。
【００４３】
図４に示す例では、マスク１００は、カバー１０と、通気路１１Ｃと、を備える。カバー１０については第１実施例と同様であるので説明を省略する。
【００４４】
通気路１１Ｃは、円周方向に巻かれている。具体的には、通気路１１Ｃは、カバー１０の内部に設けられた通気口１２Ａからカバー１０の底面の円形縁に沿うように反時計回りに約一周半、円周方向に巻かれて、カバー１０の側面の開口部１４へと接続している。なお、ここでは、通気路１１Ｃは、カバー１０の内部に設けられているが、これに限らない。通気路は、開口部１４から延伸し、カバー１０の外部で円周方向に巻かれていても構わない。
【００４５】
以上により、通気路１１Ｃを円周方向に巻くことで通気路１１Ｃを長くできる。よって、通気路１１Ｃにおける音声の減衰効果を従来よりも向上し得る。
【００４６】
（第４実施例）
第４実施例のマスクは、実施形態および第１実施例−第２実施例のいずれかのマスクにおいて、通気路は、サーペンタイン形状である。
【００４７】
かかる構成によると、通気路をサーペンタイン形状にすることで通気路を長くできる。例えば、カバーの一方端近傍に通気口を設け、他方端近傍にカバーの開口部を設けることで通気路の長さを確保できる。よって、通気路における音声の減衰効果を従来よりも向上し得る。また、通気路を、例えば、円周方向に一周以上巻く場合は、通気路同士が重なり、カバーのサイズが増加する可能性があるが、通気路をサーペンタイン形状にすることで、このような可能性を抑制できる。
【００４８】
本実施例のマスクは、上記特徴以外は、実施形態および第１実施例−第２実施例のいずれかのマスクと同様に構成してもよい。
【００４９】
［装置構成］
図５は、実施形態の第４実施例のマスクの一例を示す図である。なお、図５は、カバー１０の底面とは反対側からマスク１００を斜視した図である。
【００５０】
図５に示す例では、マスク１００は、カバー１０と、通気路１１Ｄと、を備える。カバー１０については第１実施例と同様であるので説明を省略する。
【００５１】
通気路１１Ｄは、サーペンタイン形状である。具体的には、カバー１０の内部の底面の一方端近傍に通気口１２Ａが設けられ、底面の他方端近傍のカバー１０の側面にカバー１０の開口部１４が設けられている。そして、通気路１１Ｄは、通気口１２Ａからサーペンタイン状に開口部１４へと延伸している。なお、ここでは、通気路１１Ｄは、カバー１０の内部に設けられているが、これに限らない。通気路は、開口部１４から延伸し、カバー１０の外部でサーペンタイン状に延伸していても構わない。
【００５２】
以上により、通気路１１Ｄをサーペンタイン形状にすることで通気路１１Ｄを長くできる。例えば、カバー１０の一方端近傍に通気口１２Ａを設け、他方端近傍にカバー１０の開口部１４を設けることで通気路１１Ｄの長さを確保できる。よって、通気路１１Ｄにおける音声の減衰効果を従来よりも向上し得る。また、通気路を、例えば、円周方向に一周以上巻く場合は、通気路同士が重なり、カバー１０のサイズが増加する可能性があるが、通気路１１Ｄをサーペンタイン形状にすることで、このような可能性を抑制できる。
【００５３】
（第５実施例）
第５実施例のマスクは、実施形態および第１実施例−第４実施例のいずれかのマスクにおいて、カバーはカップ形状であり、通気路は、カップの底の内表面上および外表面上の少なくとも一方に設けられている。なお、カップ形状とは、あらゆるカップの形をした凹形の形状をいうものとする。
【００５４】
かかる構成によると、カップの底部に通気路を設けることができるので、マスクの加工が容易となる。
【００５５】
本実施例のマスクは、上記特徴以外は、実施形態および第１実施例−第４実施例のいずれかのマスクと同様に構成してもよい。
【００５６】
なお、本実施例のマスクの装置構成は、図面を参酌せずに容易に理解できるので、本構成の図示および詳細な説明を省略する。
【００５７】
（第６実施例）
第６実施例のマスクは、第５実施例のマスクにおいて、カバーは円錐形状であり、通気路は、円錐形の内表面上および外表面上の少なくとも一方に設けられている。
【００５８】
かかる構成によると、ガバーを円錐形状にすることで、マスクを装着した人を側面視した場合も正面視した場合も、カバーの形状を人の顔の形に合わせることが可能となり、人がマスクを装着した場合の違和感が緩和する。
【００５９】
本実施例のマスクは、上記特徴以外は、第５実施例のマスクと同様に構成してもよい。
【００６０】
なお、本実施例のマスクの装置構成は、図面を参酌せずに容易に理解できるので、本構成の図示および詳細な説明を省略する。
【００６１】
（第７実施例）
第７実施例のマスクは、実施形態および第１実施例−第６実施例のいずれかのマスクにおいて、通気路は、可とう性のチューブである。
【００６２】
かかる構成によると、通気路として可とう性のチューブを用いることで、通話者の音声の特性に合わせた通気路の長さに容易に変更できる。また、チューブの汚れ等の場合の新品のチューブとの取り換えも容易である。また、チューブをカバーの外部に設ける場合、チューブの向きを所望の方向に容易に調整できる。更に、チューブをカバーの内部に設ける場合、チューブの通気口の位置を通話者の音声が入りにくい位置に容易に調整できる。
【００６３】
本実施例のマスクは、上記特徴以外は、実施形態および第１実施例−第６実施例のいず
れかのマスクと同様に構成してもよい。
【００６４】
なお、本実施例のマスクの装置構成は、図面を参酌せずに容易に理解できるので、本構成の図示および詳細な説明を省略する。
【００６５】
（第８実施例）
第８実施例のマスクは、実施形態および第１実施例−第６実施例のいずれかのマスクにおいて、カバーが樹脂成形体を備え、通気路は、樹脂成形体内に設けられ、通気路の通気口が樹脂成形体の内表面と外表面に設けられている。
【００６６】
かかる構成によると、通気路を樹脂成形体内に設けることで、隙間なく通気路を形成できる。よって、狭い空間でも通気路の長さを確保できるので、カバーのサイズを小さくできる。
【００６７】
本実施例のマスクは、上記特徴以外は、実施形態および第１実施例−第６実施例のいずれかのマスクと同様に構成してもよい。
【００６８】
［装置構成］
図６は、実施形態の第８実施例のマスクの一例を示す図である。図６（ａ）は、カバー１０の底面とは反対側からマスク１００を斜視した図である。図６（ｂ）は、図６（ａ）のマスク１００のＢ方向の矢視図である。
【００６９】
図６に示す例では、マスク１００は、カバー１０Ｅと、通気路１１Ｅと、を備える。
【００７０】
カバー１０Ｅは、樹脂成形体１１０Ｅを備える。また、通気路１１Ｅは、樹脂成形体１１０Ｅの内部に設けられている。通気路１１Ｅの通気口１２Ｅは、樹脂成形体１１０Ｅの内表面２０に設けられている。通気路１１Ｅの通気口１４Ｅは、樹脂成形体１１０Ｅの外表面２１に設けられている。なお、通気路１１Ｅの通気口１４Ｅは、カバー１０Ｅの開口部に相当する。
【００７１】
つまり、図６に示すように、通気路１１Ｅは、円盤状の内表面２０と円筒状の外表面２１との間において、樹脂成形で形成されている様々な仕切り壁を用いて構成されている。例えば、図６（ｂ）に示すように、通気口１２Ｅからの通気路１１Ｅは、半円形の仕切り壁２３に沿って半円弧状に延伸し、この半円形の仕切り壁２３の端と平板形の仕切り壁２４との間の隙間２５において折り返し、カバー１０Ｅの内側で更に半円弧状に延伸している。なお、通気路１１Ｅの隙間２５よりも下流側の経路については、図６（ｂ）の太い点線矢印で表しており、同図の参照により容易に理解できるので詳細な説明は省略する。
【００７２】
以上により、通気路１１Ｅを樹脂成形体１１０Ｅの内部に設けることで、隙間なく通気路１１Ｅを形成できる。よって、狭い空間でも通気路１１Ｅの長さを確保できるので、カバー１０Ｅのサイズを小さくできる。
【００７３】
（第９実施例）
第９実施例のマスクは、実施形態および第１実施例−第８実施例のいずれかのマスクにおいて、通気路は、互いに分岐して合流する第１分岐路および第２分岐路を備え、第１分岐路と第２分岐路との長さが異なる。
【００７４】
かかる構成によると、通気路には、通話者の音声が伝播する第１分岐路および第２分岐路が存在する。ここで、第１分岐路および第２分岐路の経路長が異なる場合、第１分岐路および第２分岐路のそれぞれを通過する音の位相が変化する。そして、第１分岐路および第２分岐路のそれぞれを伝播する音声が打ち消しあう位相差になるように、第１分岐路および第２分岐路のそれぞれの経路長を設計することで、通気路における音声の減衰効果が更に向上し得る。
【００７５】
本実施例のマスクは、上記特徴以外は、実施形態および第１実施例−第８実施例のいずれかのマスクと同様に構成してもよい。
【００７６】
［装置構成］
図７は、実施形態の第９実施例のマスクの一例を示す図である。図７は、カバー１０の底面とは反対側からマスク１００を斜視した図である。
【００７７】
図７に示す例では、マスク１００は、カバー１０と、通気路１１Ｆと、を備える。カバー１０については第１実施例と同様であるので説明を省略する。
【００７８】
通気路１１Ｆは、互いに分岐して合流する第１分岐路３１および第２分岐路３２を備え、第１分岐路３１と第２分岐路３２との長さが異なる。本実施例では、通気路１１Ｆは、分岐部３０で第１分岐路３１と第２分岐路３２とに分岐し、合流部３３で合流するように構成されている。そして、通気路１１Ｆは合流部３３から更に延伸し、カバー１０の開口部１４へと接続する。なお、本実施例では、第１分岐路３１の経路長が第２分岐路３２の経路長よりも長い。
【００７９】
以上により、通気路１１Ｆには、通話者の音声が伝播する第１分岐路３１および第２分岐路３２が存在する。ここで、第１分岐路３１および第２分岐路３２の経路長が異なる場合、第１分岐路３１および第２分岐路３２のそれぞれを通過する音の位相が変化する。そして、第１分岐路３１および第２分岐路３２のそれぞれを伝播する音声が打ち消しあう位相差になるように、第１分岐路３１および第２分岐路３２のそれぞれの経路長を設計することで、通気路１１Ｆにおける音声の減衰効果が更に向上し得る。
【００８０】
なお、本実施例では、通気路１１Ｆが第１分岐路３１および第２分岐路３２を備える例を説明したが、分岐路の個数はこれに限らない。例えば、通話者の音声の周波数は一意でない。よって、分岐路の個数は３以上でも構わない。これにより、分岐路の個数を更に増やすことで、様々な合流部において、分岐路間の経路長の差を様々に設定可能となり、通話者の様々な周波数の音声を打ち消し得る。
【００８１】
（第１０実施例）
第１０実施例のマスクは、実施形態および第１実施例−第９実施例のいずれかのマスクにおいて、カバー内にマイクロフォンを備える。
【００８２】
かかる構成によると、カバー内にマイクロフォンを設けることで、マイクロフォンが外部の雑音を拾わないので、通話者の音声の音質がクリアになる。また、マイクロフォンをスマートフォン等の情報携帯端末に接続し本情報携帯端末を利用することで、通話者は、周囲の人に対する騒音を発生させずに通話できる。
【００８３】
本実施例のマスクは、上記特徴以外は、実施形態および第１実施例−第９実施例のいずれかのマスクと同様に構成してもよい。
【００８４】
［装置構成］
図８は、実施形態の第１０実施例のマスクの一例を示す図である。
【００８５】
図８に示す例では、マスク１００は、カバー１０と、通気路１１Ａと、マイクロフォン５０と、を備える。カバー１０および通気路１１Ａについては第１実施例と同様であるので説明を省略する。
【００８６】
マスク１００は、カバー１０内にマイクロフォン５０を備える。マイクロフォン５０はカバー１０内に設けることができれば、どのような構成であっても構わない。
【００８７】
なお、ここでは、実施形態のマスク１００が、カバー１０内にマイクロフォン５０を備える例を説明したが、これに限らない。第１実施例−第９実施例のいずれかのマスク１００が、カバー内にマイクロフォン５０を備えてもよい。
【００８８】
以上により、カバー１０内にマイクロフォン５０を設けることで、マイクロフォン５０が外部の雑音を拾わないので、通話者の音声の音質がクリアになる。また、マイクロフォン５０をスマートフォン等の情報携帯端末に接続し本情報携帯端末を利用することで、通話者は、周囲の人に対する騒音を発生させずに通話できる。
【００８９】
（第１１実施例）
第１１実施例のマスクは、実施形態および第１実施例−第９実施例のいずれかのマスクにおいて、カバーの外部にある通気口から出る音を受けるマイクロフォンを備える。
【００９０】
かかる構成によると、カバーの外部にある通気口のすぐ近くにマイクロフォンを装着することにより、マイクロフォンで通話者の音声を拾うことができる。また、ヘッドセット等、カバーの内部にマイクロフォンを設けることが困難な場合でも、通話者が通話できる。
【００９１】
本実施例のマスクは、上記特徴以外は、実施形態および第１実施例−第９実施例のいずれかのマスクと同様に構成してもよい。
【００９２】
なお、本実施例のマスクの装置構成は、図面を参酌せずに容易に理解できるので、本構成の図示および詳細な説明を省略する。
【００９３】
（第１２実施例）
第１２実施例のマスクは、実施形態および第１実施例−第９実施例のいずれかのマスクにおいて、通気路内にマイクロフォンを備える。
かかる構成によると、通気路内にマイクロフォンを設けることで、マイクロフォンの装着スペースを設ける必要がなくなる。
さらに、マイクロフォンが外部の雑音を拾わないので、通話者の音質がクリアになる。
本実施例のマスクは、上記特徴以外は、実施形態および第１実施例−第９実施例のいずれかのマスクと同様に構成してもよい。
なお、本実施例のマスクの装置構成は、図面を参酌せずに容易に理解できるので、本構
成の図示および詳細な説明を省略する。
【００９４】
（第１３実施例）
第１３実施例のマスクは、実施形態および第１実施例−第１２実施例のいずれかのマスクにおいて、通気路は、長さの異なる複数の通気路を備え、複数の通気路の通気口のうちカバー内部に設けられた通気口を遮断する遮断器と、遮断器により遮断される通気口を切替える切替器とを備える。
【００９５】
かかる構成によると、遮断器および切替器を用いて、カバーの内部の通気路の長さを変更できる。よって、通話者が、自らの音声の音量を減衰したい所望量に設定できる。
【００９６】
本実施例のマスクは、上記特徴以外は、実施形態および第１実施例−第１２実施例のいずれかのマスクと同様に構成してもよい。
【００９７】
［装置構成］
図９は、実施形態の第１３実施例のマスクの一例を示す図である。
【００９８】
図９に示す例では、マスク１００は、カバー１０Ｇと、通気路１１Ｇと、遮断器４２と、切替器４１と、を備える。カバー１０Ｇおよび通気路１１Ｇは、以下の点以外は、第１実施例と同様である。
【００９９】
通気路１１Ｇは、長さが異なる複数の通気路１１ＧＡ、１１ＧＢを備える。
【０１００】
ここで、遮断器４２は、複数の通気路１１ＧＡ、１１ＧＢの通気口のうちカバー１０Ｇの内部に設けられた通気口１２ＧＡ、１２ＧＢを遮断する。また、切替器４１は、遮断器４２により遮断される通気口１２ＧＡ、１２ＧＢを切替える。遮断器４２は、複数の通気路１１ＧＡ、１１ＧＢの通気口のうちカバー１０Ｇの内部に設けられた通気口１２ＧＡ、１２ＧＢを遮断できれば、どのような構成であっても構わない。切替器４１は、遮断器４２により遮断される通気口１２ＧＡ、１２ＧＢを切替えることができれば、どのような構成であっても構わない。
【０１０１】
本実施例では、図９に示すように、カバー１０Ｇは、２つの円筒体に分割されており、円筒状かつ有底の固定体４０と、円筒状かつ有底の回転体４１とを備える。そして、回転体４１は、固定体４０に対して円周方向に回転可能に構成されている。
【０１０２】
通気路１１Ｇは、固定体４０の内部に設けられた通気口１２Ａから固定体４０の内部を延伸し、固定体４０の底面４２に設けられた開口部１４Ｇへと接続する。通気路１１ＧＡは、通気口１２ＧＡから回転体４１の内部を延伸し、回転体４１の開口部１４へと接続する。通気路１１ＧＢは、通気口１２ＧＢから回転体４１の内部を延伸し、回転体４１の開口部１４へと接続する。そして、通気口１２ＧＡ、１２ＧＢはそれぞれ、回転体４１が回転することにより、上記底面４２に設けられた開口部１４Ｇに接続するような箇所に配置されている。
【０１０３】
例えば、図９に示す如く、通気口１２ＧＢと開口部１４Ｇとが接続するときは、通気路１１Ｇと通気路１１ＧＢとが連通し、通気口１２ＧＡは、固定体４０の底面４２により遮断される。また、図９に示す状態から回転体４１が時計回りに所定角度回転し、通気口１２ＧＡと開口部１４Ｇとが接続するときは、通気路１１Ｇと通気路１１ＧＡとが連通し、通気口１２ＧＢは、固定体４０の底面４２により遮断される。よって、本実施例では、上記遮断器４２は、固定体４０の底面４２で構成され、上記切替器４１は、回転体４１で構成されている。
【０１０４】
このようにして、遮断器４２および切替器４１を用いて、通気口１２ＧＢと開口部１４Ｇとが接続するとき、回転体４１の内部において、通気路１１Ｇは、通気路１１ＧＡよりも長い通気路１１ＧＢで形成される。また、通気口１２ＧＡと開口部１４Ｇとが接続するとき、回転体４１の内部において、通気路１１Ｇは、通気路１１ＧＢよりも短い通気路１１ＧＡで形成される。
【０１０５】
以上により、遮断器４２および切替器４１を用いて、カバー１０Ｇの内部の通気路１１Ｇの長さを変更できる。よって、通話者が、自らの音声の音量を減衰したい所望量に設定できる。
【０１０６】
（第１４実施例）
第１４実施例のマスクは、実施形態および第１実施例−第１３実施例のいずれかのマスクにおいて、通気路は、カバーに設けられた開口部に接続され、開口部は、カバーの側面に設けられている。
【０１０７】
かかる構成によると、カバーの側面に開口部を設けることで、対面の人に通話者の音声が伝わりにくくなり、音声を聞かれにくくすることができる。
【０１０８】
本実施例のマスクは、上記特徴以外は、実施形態および第１実施例−第１３実施例のいずれかのマスクと同様に構成してもよい。
【０１０９】
［装置構成］
図１０は、実施形態の第１４実施例のマスクの一例を示す図である。
【０１１０】
図１０に示す例では、マスク１００は、カバー１０と、通気路１１Ａと、を備える。カバー１０および通気路１１Ａは、以下の点以外は、第１実施例と同様である。
【０１１１】
本実施例では、通気路１１Ａは、カバー１０に設けられた開口部１４に接続され、開口部１４は、カバー１０の側面に設けられている。つまり、通気路１１は、カバー１０の内部に設けられた通気口１２Ａからカバー１０の内部を延伸し、カバー１０の側面にある開口部１４へと接続する。
【０１１２】
以上により、カバー１０の側面に開口部１４を設けることで、対面の人に通話者の音声が伝わりにくくなり、音声を聞かれにくくすることができる。
【０１１３】
（第１５実施例）
第１５実施例のマスクは、第１４実施例のマスクにおいて、開口部は、人がマスクを装着した際に下側になる側面の位置に設けられている。
【０１１４】
かかる構成によると、カバーの開口部から空気とともに通話者の音声が出る可能性があるので、カバーの側面のうちの下側に開口部を設けることで、周囲の人に開口部を向けずに済み、通話者の音声を周囲の人に聞かれにくくすることができる。
【０１１５】
本実施例のマスクは、上記特徴以外は、第１４実施例のマスクと同様に構成してもよい。
【０１１６】
［装置構成］
図１１は、実施形態の第１５実施例のマスクの一例を示す図である。
【０１１７】
図１１に示す例では、マスク１００は、カバー１０と、通気路１１Ａと、を備える。カバー１０および通気路１１Ａは、以下の点以外は、第１４実施例と同様である。
【０１１８】
本実施例では、開口部１４は、人がマスク１００を装着した際に下側になる側面の位置に設けられている。つまり、開口部１４が、カバー１０の側面に設けられながら下側というのは、図１１に示す如く、人がマスク１００を装着した際に、開口部１４がカバー１０の側面のうち人の鼻側でなく顎側に設けられていることを意味する。
【０１１９】
以上により、カバー１０の開口部１４から空気とともに通話者の音声が出る可能性があるので、カバー１０の側面のうちの下側に開口部１４を設けることで、周囲の人に開口部１４を向けずに済み、通話者の音声を周囲の人に聞かれにくくすることができる。
【０１２０】
（第１６実施例）
第１６実施例のマスクは、第１４実施例のマスクにおいて、通気路は、カバーの底部に設けられ、通気路はカバーの底部とともにカバーの底部の周方向に回転可能に構成されている。
【０１２１】
かかる構成によると、カバーの底部の回転により、カバーの開口部を所望の向きに向けることができる。例えば、通話者の音声を伝えたい方向に開口部を向けることが可能となり、他の人には通話者の音声を聞かれにくくすることができる。また、ヘッドセットのマイクロフォンの方向に開口部を向けることもできる。
【０１２２】
本実施例のマスクは、上記特徴以外は、第１４実施例のマスクと同様に構成してもよい。
【０１２３】
［装置構成］
図１２は、実施形態の第１５実施例のマスクの一例を示す図である。
【０１２４】
図１２に示す例では、マスク１００は、カバー１０と、通気路１１Ａと、を備える。カバー１０および通気路１１Ａは、以下の点以外は、第１３実施例と同様である。
【０１２５】
本実施例では、通気路１１Ａは、カバー１０の底部４３に設けられ、通気路１１Ａはカバー１０の底部４３とともにカバー１０の底部４３の周方向に回転可能に構成されている。つまり、カバー１０の底部４３は、カバー１０の固定部に対して円周方向に回転可能な回転部となっている。これにより、カバー１０の開口部１４の位置がカバー１０の円周方向の任意の箇所に選択される。
【０１２６】
以上により、カバー１０の底部４３の回転により、カバー１０の開口部１４を所望の向きに向けることができる。例えば、通話者の音声を伝えたい方向に開口部１４を向けることが可能となり、他の人には通話者の音声を聞かれにくくすることができる。また、ヘッドセットのマイクロフォンの方向に開口部１４を向けることもできる。
【０１２７】
（第１７実施例）
第１７実施例のマスクは、実施形態および第１実施例−第１６実施例のいずれかのマスクにおいて、カバーは、人の口、および、人の鼻を同時に覆うカバーである。
【０１２８】
かかる構成によると、カバーで通話者の鼻まで覆うことで、通話者が自らの音声が聞こえやすくなる可能性があり、通話者の話し声が自然と小さくなるという効果を奏し得る。
【０１２９】
本実施例のマスクは、上記特徴以外は、実施形態および第１実施例−第１５実施例のいずれかのマスクと同様に構成してもよい。
【０１３０】
なお、本実施例のマスクの装置構成は、図面を参酌せずに容易に理解できるので、本構成の図示および詳細な説明を省略する。
【０１３１】
（第１８実施例）
第１８実施例のマスクは、実施形態および第１実施例−第１７実施例のいずれかのマスクにおいて、カバーは、通気路が接続もしくは通過する第１開口部と、第１開口部と異なる第２開口部とを備え、第２開口部は、マスクを装着した人が息を吸うときに開き、息を吐くときに閉じる弁を備える。
【０１３２】
かかる構成によると、通気路内には吐いた空気が溜まるので、弁を設けることで新鮮な空気を吸うことができる。また、息を吸うとき、弁が開くので、息を吸うための吸引力が弱くても容易に空気を吸うことができる。
【０１３３】
本実施例のマスクは、上記特徴以外は、実施形態および第１実施例−第１７実施例のいずれかのマスクと同様に構成してもよい。
【０１３４】
［装置構成］
図１３は、実施形態の第１８実施例のマスクの一例を示す図である。
【０１３５】
図１３に示す例では、マスク１００は、カバー１０Ｈと、通気路１１と、弁６１とを備える。図１３（ａ）では、人がカバー１０を装着し、息を吸う場合の様子が模式的に示されている。図１３（ｂ）では、人がカバー１０を装着し、息を吐く場合の様子が模式的に示されている。
【０１３６】
カバー１０Ｈは、以下の点以外は、実施形態と同様である。
【０１３７】
カバー１０Ｈは、通気路１１が接続もしくは通過する第１開口部１４と、第１開口部１４と異なる第２開口部６０とを備える。なお、図１３では、通気路１１が第１開口部１４を通過する例を図示しているが、通気路は、図２又は図３の如く、第１開口部１４に接続する形態であっても構わない。
【０１３８】
第２開口部６０は、マスク１００を装着した人が息を吸うときに開き、息を吐くときに閉じる弁６１を備える。弁６１は、マスク１００を装着した人が息を吸うときに開き、息を吐くときに閉じる弁であれば、どのような構成であっても構わない。
【０１３９】
以上により、通気路１１内には吐いた空気が溜まるので、弁６１を設けることで新鮮な空気を吸うことができる。また、息を吸うとき、弁６１が開くので、息を吸うための吸引力が弱くても容易に空気を吸うことができる。
【０１４０】
上記説明から、当業者にとっては、本開示の多くの改良及び他の実施形態が明らかである。従って、上記説明は、例示としてのみ解釈されるべきであり、本開示を実行する最良の態様を当業者に教示する目的で提供されたものである。本開示の精神を逸脱することなく、その構造および／又は機能の詳細を実質的に変更できる。
【産業上の利用可能性】
【０１４１】
本開示の一態様は、通話者の口を覆うことで通話者の音声を外部に漏れにくくするマスクにおいて、通気路における音声の減衰効果を従来よりも向上し得る。よって、本開示の一態様は、例えば、情報携帯端末用のマスクとして利用できる。
【符号の説明】
【０１４２】
１０  カバー
１０Ｅ      カバー
１０Ｆ      カバー
１０Ｇ      カバー
１０Ｈ      カバー
１１  通気路
１１Ａ      通気路
１１Ｂ      通気路
１１Ｃ      通気路
１１Ｄ      通気路
１１Ｅ      通気路
１１Ｆ      通気路
１１Ｇ      通気路
１１ＧＡ  通気路
１１ＧＢ  通気路
１２Ａ      通気口
１２Ｂ      通気口
１２Ｅ      通気口
１２ＧＡ  通気口
１２ＧＢ  通気口
１４  開口部
１４Ｅ      通気口
１４Ｇ      開口部
２０  内表面
２１  外表面
２３  仕切り壁
２４  仕切り壁
２５  隙間
３０  分岐部
３１  第１分岐路
３２  第２分岐路
３３  合流部
４０  固定体
４１  切替器（回転体）
４２  遮断器（底面）
４３  底部
５０  マイクロフォン
６０  第２開口部
６１  弁
１００      マスク
１１０Ｅ  樹脂成形体
【図１】
2017003968.tif 000003
【図２】
2017003968.tif 000004
【図３】
2017003968.tif 000005
【図４】
2017003968.tif 000006
【図５】
2017003968.tif 000007
【図６】
2017003968.tif 000008
【図７】
2017003968.tif 000009
【図８】
2017003968.tif 000010
【図９】
2017003968.tif 000011
【図１０】
2017003968.tif 000012
【図１１】
2017003968.tif 000013
【図１２】
2017003968.tif 000014
【図１３】
2017003968.tif 000015
【図１４】
2017003968.tif 000016